(57)【要約】【課題】外形をコンパクトにしても質量感やボリューム感が得られるタオルを提供することを課題とする。【解決手段】タオル地を三重に重ね合わせた折り目を有し、その折り目が崩れないように、表面もしくは裏面の一面のみ、または、表面と裏面の両面に、タオルの長手方向に１列以上、折り目を伸ばして三重の重ね合わせ部分が無くなった状態で筒状体がタオル地に縫い込まれており、さらに紐状体がその筒状体の中に挿通された状態でタオル地の両端部に縫い込まれていることを特徴とする三重重ねタオルである。通常のタオルの約半分〜１/３程度の幅にコンパクトになり、質量感やボリューム感が出る。【選択図】  図１
2017077469.tif 000002
【特許請求の範囲】
【請求項１】
タオル地を三重に重ね合わせた折り目を有することを特徴とする三重重ねタオル。
【請求項２】
タオル地を三重に重ね合わせた折り目を有し、その折り目が崩れないように、タオルの長手方向に１列以上、縫糸がタオル地に縫い込まれていることを特徴とする三重重ねタオル。
【請求項３】
タオル地を三重に重ね合わせた折り目を有し、その折り目が崩れないように、表面もしくは裏面の一面のみ、または、表面と裏面の両面に、タオルの長手方向に１列以上、紐状体がタオル地に縫い込まれていることを特徴とする三重重ねタオル。
【請求項４】
前記の紐状体が、タオル地を三重に重ね合わせた折り目が崩れないように、タオルの長手方向に１列以上、筒状体の中に挿通された状態でタオル地に縫い込まれていることを特徴とする請求項１乃至３のいずれか一項に記載の三重重ねタオル。
【請求項５】
前記のタオル地を三重に重ね合わせた折り目が、蛇腹のように繰り返される山折りと谷折りを重ね合わせることで作られることを特徴とする請求項１乃至４のいずれか一項に記載の三重重ねタオル。
【請求項６】
タオル地を三重に重ね合わせた折り目を有し、その折り目が崩れないように、表面もしくは裏面の一面のみ、または、表面と裏面の両面に、タオルの長手方向に１列以上、紐状体が、三重の重ね合わせ部分を避けて、タオル地に縫い込まれていることを特徴とする三重重ねタオル。
【請求項７】
タオル地を三重に重ね合わせた折り目を有し、その折り目が崩れないように、表面もしくは裏面の一面のみ、または、表面と裏面の両面に、タオルの長手方向に１列以上、折り目を伸ばして三重の重ね合わせ部分が無くなった状態で筒状体がタオル地に縫い込まれており、さらに紐状体がその筒状体の中に挿通された状態でタオル地の両端部に縫い込まれていることを特徴とする三重重ねタオル。
【発明の詳細な説明】
【技術分野】
【０００１】
本発明は、蛇腹状の折り目を三重に重ねたタオルに関する。
【背景技術】
【０００２】
通常のタオルとは形状が異なり、健康増進に好適な発明が提案されている。
例えば、特許文献１のように、タオル生地をたぐり寄せたひだを表面と裏面に設けた発明が提案されている。
【先行技術文献】
【特許文献】
【０００３】
【特許文献１】特開２００８-２７２３９１号
【発明の概要】
【発明が解決しようとする課題】
【０００４】
ところが、特許文献１のような構成では、各ひだの自由端（先端）と付け根が有り、特に二重でたわしのようになるので、その根本の箇所がより硬くなる。その結果、高齢者や食物アレルギー等のために、全身が痒くなる症状の場合は、かえって痒みが増すという問題が有り、使用を避ける必用が生じる。しかも、質量感やボリューム感が十分でないため、満足感が得られない。十分な質量感やボリューム感を出すには、タオルを大きくせざるを得ず、外形がコンパクトで質量感やボリューム感の有る構成は不可能である。
本発明の技術的課題は、このような問題に着目し、外形をコンパクトにしても質量感やボリューム感が得られるタオルや布地を実現する。
【課題を解決するための手段】
【０００５】
本発明の技術的課題は次のような手段によって解決される。
【０００６】
本発明は、タオル地を三重に重ね合わせた折り目を有することを特徴とする三重重ねタオルである。
本発明における「三重に重ね合わされた折り目」は、どのようにして重ね合わせてもよいが、例えば、蛇腹のように山折りと谷折りが繰り返される、その山折りと谷折りとを重な合わせることで、三重に重ね合わされた折り目を作ることができる。
【０００７】
本発明は、タオル地を三重に重ね合わせた折り目を有し、その折り目が崩れないように、タオルの長手方向に１列以上、縫糸がタオル地に縫い込まれていることを特徴とする三重重ねタオルである。
【０００８】
本発明は、タオル地を三重に重ね合わせた折り目を有し、その折り目が崩れないように、表面もしくは裏面の一面のみ、または、表面と裏面の両面に、タオルの長手方向に１列以上、紐状体がタオル地に縫い込まれていることを特徴とする三重重ねタオルである。
【０００９】
本発明は、前記の紐状体が、タオル地を三重に重ね合わせた折り目が崩れないように、タオルの長手方向に１列以上、筒状体の中に挿通された状態でタオル地に縫い込まれていることを特徴とする三重重ねタオルである。
【００１０】
本発明は、前記のタオル地を三重に重ね合わせた折り目が、蛇腹のように繰り返される山折りと谷折りを重ね合わせることで作られることを特徴とする三重重ねタオルである。
【００１１】
本発明は、タオル地を三重に重ね合わせた折り目を有し、その折り目が崩れないように、表面もしくは裏面の一面のみ、または、表面と裏面の両面に、タオルの長手方向に１列以上、紐状体が、三重の重ね合わせ部分を避けて、タオル地に縫い込まれていることを特徴とする三重重ねタオルである。
【００１２】
本発明は、タオル地を三重に重ね合わせた折り目を有し、その折り目が崩れないように、表面もしくは裏面の一面のみ、または、表面と裏面の両面に、タオルの長手方向に１列以上、折り目を伸ばして三重の重ね合わせ部分が無くなった状態で筒状体がタオル地に縫い込まれており、さらに紐状体がその筒状体の中に挿通された状態でタオル地の両端部に縫い込まれていることを特徴とする三重重ねタオルである。
【発明の効果】
【００１３】
１）三重に重ね合わされた折り目を有するので立体感（質量間）やボリューム感が増す。
２）１列以上、縫糸のみによって、または帯状の布またはゴム紐が縫い込まれているので、度重なる洗濯や使い古すことで折り目が崩れるという心配がない。
３）少なくとも縫糸または帯状の布もしくはゴム紐が１列以上縫い込まれているので、折り目が無くなるということはない。
４）タオルの全体に折り目がある必要はなく、タオルの両端は折り目が無く、真ん中部分のみを三重重ねの折り目を付けることもできる。
５）一枚のタオルを三重に重ね合わせるため、長手方向の長さが短くなる。
【図面の簡単な説明】
【００１４】
【図１】三重に重ねてできた折り目を有する実施例を示した上方斜視図
【図２】図１の側面図（三重に重ねた折り目が緩いときはＳ字状になっており、折り目を強くつけるとＺ字状になることを示す）
【図３】図１の底面図（タオルの裏面を示す）
【図４】帯状の布を２列縫い付けた実施例を示した上方斜視図
【図５】図４の底面図（タオルの裏面を示す）
【図６】帯状のゴム紐が、三重の重ね合わせ部分を避けて（重ね合わせがない部分に）縫い込まれている実施例を示した上方斜視図
【図７】図６の底面図（タオルの裏面を示す）
【図８】筒状体の布の中にゴム紐を挿通した実施例を示した図
【図９】図８の中央縦切断部端面図
【図１０】図６の底面図（タオルの裏面を示す）
【図１１】図１０の縫い付ける位置を明らかにした図１０のＡ−Ａ’線断面図
【図１２】帯状の布またはゴム紐が、表面もしくは裏面の一面のみ、または、表面と裏面の両面に、縫い込まれた実施例を示した側面図
【図１３】図６の帯状のゴム紐が１列だけ縫い込まれた実施例を示した上方斜視図
【図１４】図１３の底面図（タオルの裏面を示す）
【図１５】蛇腹のように山折りと谷折りが繰り返されただけで重ね合わされた折り目が無い部分と、三重に重ね合わされるように折り目がある部分とが混在した実施例を示した上方斜視図
【発明を実施するための形態】
【００１５】
図１は、タオル地を三重に重ね合わせた折り目を有するタオルの実施例を示した上方斜視図である。
三重に重ね合わせた折り目は、タオル地Ｃを、蛇腹のように繰り返される山折りと谷折りを重ね合わせることで作ることができる。
折り目が崩れないように、タオルの長手方向に２列、縫糸が縫い込まれている。
【００１６】
図２は、図１の側面図（三重に重ねた折り目が緩いときはＳ字状になっており、折り目を強くつけるとＺ字状になることを示す）であり、図３は、図１の底面図（タオルの裏面を示す）である。
タオルの長手方向の切断面に対する端面は、ローマ字のＳ字状又はＺ字状のようになり、重ね合わされたところは三重になる。
三重に重ね合わされたタオルは、重ね合わせないときに比べて、質量感やボリューム感が増す。
そして、折り目が崩れないようにするには、縫糸を縫い込んだり、紐状体を縫い込むことができる。
紐状体は、帯状の布、紐、ゴム紐または合成皮革などが挙げられ、伸縮性の有無は問わない。
縫糸や紐状体による縫い込みの列は、縫目１、２のように２列でもよいし、１列でも３列以上でもよい。
縫い込む列の数が多いほど折り目が崩れず、タオルの長手方向の切断面に対する端面はＳ字状またはＺ字状に戻りやすい。
【００１７】
図４は、表面に紐状体を２列縫い込んだ実施例を示した上方斜視図であり、図５は、図４の実施例に更に裏面に紐状体を縫い込んだ状態を示す底面図（タオルの裏面を示す）である。
折り目が崩れないように、紐状体をタオル地Ｃに当てて連続的に縫い込んでいる。
折り目が崩れないように表面だけでなく、表面と同様に、更に裏面にも紐状体を縫い込むことができる。
【００１８】
図６は、帯状のゴム紐が、三重の重ね合わせ部分を避けて（重ね合わせがない部分に）縫い込まれている実施例を示した上方斜視図であり、図７は、図６の底面図（タオルの裏面を示す）である。
折り目が崩れないように、帯状のゴム紐を縫い込むのだが、三重の重ね合わせ部分を避けて（重ね合わせがない部分に）縫い込まれている。
これは、タオルを長手方向に引っ張って伸ばすことで、折り目（三重重ね）の部分が伸ばされて一重になり（大判のタオルになる）、洗濯などの後に放して自由にすると折り目がついた縮んだ状態となる（長手方向に短いコンパクトなタオルになる）ようにするためである。
縫目１、２は連続ではなく、破線９、１０で示すように、タオル地Ｃの折り重なっていないところ（つまり重ね合わせがないところ）で縫い付けてある。
【００１９】
なお、本発明に係るタオルの折り目は、縫糸や紐状体を縫い込むことで崩れないようにするのではなく、接着剤によって接着したり、形状記憶の加工を施すことにより折り目の形状を維持できるようにすることもできる。
接着剤により接着すると、タオル地ＣはＳ字状やＺ字状に折られた状態で挟まれるので、伸縮性がある帯布や平ゴム７、８を伸ばしてＳ字状やＺ字状を平に伸ばし、再び放して元に戻すと、元のＳ字状やＺ字状に戻る。
このように、元の形状に戻る構成とするには、三重重ねの折り目を加圧加工やプリーツ加工して折り目を付ける加工が必要となる。
なお、タオル地Ｃの素材に不織布を用いる場合は、接着に代えて熱圧着も可能であり、前記Ｓ字状やＺ字状の保持列は、接着、熱圧着や縫製を併用もできるが、どちらかの選択もできる。
このように、帯状のゴム紐７、８を取付けると、左右に伸ばした後、力を放して自由にした場合、タオル地Ｃは縫目９、１０以外は自由となり、どのような形状になるか想定もできない。
なお、２列の場合を表現したが、図１３のように１列でも同様である。
紐状体は、タオルの表面または裏面の一面のみではなく、両面に縫い込むことで、折り目を維持した三重重ねタオルができあがる。
【００２０】
図８は、筒状体の布の中にゴム紐を挿通した実施例を示した図であり、図９は、図８の中央縦切断部端面図である。
生地、布からなる蛇腹状に形成した筒状体１１の中に、伸縮性のあるゴム糸や平ゴムなどのゴム紐（紐状体）１２を挿通している。
これを筒状体１１のままタオル地Ｃに縫い込む。
これは、タオルの使用者が、縫目やタオル地Ｃに縫い込んだ紐状体が肌に当たることで肌を刺激して傷つけたりすることがないように、紐状体を筒状体に挿通して筒状体が紐状体を覆い、紐状体を挿通（収容）させた状態の筒状体をタオル地Ｃに縫い込むようにしたものである。
紐状体は、タオルの表面または裏面の一面のみではなく、両面に縫い込むことで、折り目を維持した三重重ねタオルができあがる。
紐状体３〜６の上から連続的に縫い付けると、紐状体３〜６が縫目１、２を覆って縫目を隠すので、肌に縫目１、２が当たらず、安全である。
また、縫目１、２の補強にもなる。
なお、縫目は、直線状以外にも、ジグザグ縫いや波形縫いなど、種々の縫い方を採用できる。
【００２１】
蛇腹状の筒状体１１を伸ばすと、収容されているのゴム紐１２が伸びて長くなる。
この筒状体１１がゴム紐１２の弾性力によって縮んだ状態のときに、タオル地Ｃの三重の重ね合わせ部分を避けて縫い付けてある。
図１１は、三重の重ね合わせ部分を避けて縫い付けるときの縫い付け位置を示した図であり、図１０のＡ−Ａ’線断面図である。
図１２の（１）図は、タオル地Ｃの上側だけにゴム紐を縫い込んだ例、図１２の（２）図は、タオル地Ｃの表面と裏面の両面にゴム紐を縫い込んだ例である。
【００２２】
Ｓ字状又はＺ字状に三重重ねとした折り目を断面形状とするタオル地Ｃに、縫糸による縫目や紐状体は、複数列有することが好ましいが、図１３のように１列だけでもよい。
図１４は、図１３の裏面側から見た底面図である。
裏面も表面と同様に紐状体、紐状体を挿通させた筒状体を重ねた構成にしてもよい。
図１５は、蛇腹のように山折りと谷折りが繰り返されるだけで重ね合わされた折り目が無い部分と、三重に重ね合わされるように折り目がある部分とが混在した実施例を示した上方斜視図である。
タオル地Ｃの一部分で蛇腹のように山折りと谷折りが繰り返されるだけで重ね合わされた折り目が無い部分があり、タオル地Ｃの一部分で三重に重ね合わされるように折り目がある部分とが混在した状態で、紐状体によって縫い込まれている。
特にゴム紐などの伸縮性がある紐状体の場合、重ね合わせられた部分を避けてタオル地Ｃに縫い込まれるようにすれば、タオルの長手方向に引き延ばして伸縮できるため、大判タオルとして使用できる。
【産業上の利用可能性】
【００２３】
以上のように、本発明に係る三重重ねタオルは、タオル地を三重に重ね合わせた折り目を有することで質量感やボリューム感が増す。また、折り目が崩れたとしても、折り目方向（長手方向とは垂直方向）に引くと容易に三重重ねに戻る。
本発明の三重重ねタオルは、通常のタオルの約半分〜１/３程度の長さでも十分に使い勝手がよく、また入浴の際に両手で握る両端を除いて中央部のみを三重重ねとすることができ（三重重ねの折り目部分を任意の部分だけ形成することもできる）、小形で高級イメージのタオルとして好適である。
【００２４】
タオル地ＣをＳ字状又はＺ字状の構成にする為に、帯布・平ゴム・伸縮帯等を併用もできるが、どちらか１つを選択もできる。
また、その固定方法の縫い方に関しても、直線縫い・ジグザグ縫い・波形縫いなど色々な縫い方を併用し組合わせることもできる。
例えば３列の場合、中央に帯布、左右に縫い込み、または中央に平ゴム、左右に伸縮帯など、タオル地ＣをＳ字状又はＺ字状に形成し保持する為の固定は、上記の材料と縫製でより実用性が高まる。
【符号の説明】
【００２５】
Ｃ  タオル地
Ｔ  蛇腹状（縮み状）の折り目
Ｕ  Ｓ字状又はＺ字状の三重重ねの部分
１、２  縫糸による縫目
３、４、５、６  紐状体
７、８、１２  ゴム紐（紐状体）
９、１０  三重の重ね合わせ部分を避けた縫糸による縫目
１１  筒状体
【図１】
2017077469.tif 000003
【図２】
2017077469.tif 000004
【図３】
2017077469.tif 000005
【図４】
2017077469.tif 000006
【図５】
2017077469.tif 000007
【図６】
2017077469.tif 000008
【図７】
2017077469.tif 000009
【図８】
2017077469.tif 000010
【図９】
2017077469.tif 000011
【図１０】
2017077469.tif 000012
【図１１】
2017077469.tif 000013
【図１２】
2017077469.tif 000014
【図１３】
2017077469.tif 000015
【図１４】
2017077469.tif 000016
【図１５】
2017077469.tif 000017